(57)【特許請求の範囲】
【請求項１】
或る容積の水の中での水生動物の養殖のための照明システムであり、前記養殖が、前記水生動物に餌を投与するために給餌システムを使用し、前記給餌システムが、前記容積の水の中の給餌軸を規定し、前記照明システムが、
前記容積の水の中に配置され、前記給餌軸を照明するよう構成される第１照明面であって、前記給餌軸に向かう第１方向に第１の光を発するための第１照明面と、
前記容積の水の中に配置され、前記給餌軸を照明するよう構成される第２照明面であって、前記給餌軸に向かう第２方向に第２の光を発するための第２照明面とを有する照明システムであって、
前記第１照明面と、前記第２照明面とが、異なる面であり、実質的に異なる方向から前記給餌軸の方へ光を発するよう構成される照明システム。
【請求項２】
前記第１照明面が、第１垂線によって規定され、前記第２照明面が、前記第１垂線とは異なる方向を指す第２垂線によって規定され、前記第１照明面の第１垂線と、前記第２照明面の第２垂線とが、前記容積の水の中で、随意に、実質的に前記給餌軸において、交差する又は交わるように、前記第１照明面及び前記第２照明面が配設される請求項１に記載の照明システム。
【請求項３】
前記照明システムが、前記容積の水の中に配設される複数の照明面を有し、前記複数の照明面が、例えば前記容積の水の境界に沿って、前記給餌軸に対して複数の極座標角度のところに配設される請求項１乃至２のいずれか一項に記載の照明システム。
【請求項４】
前記第１照明面及び前記第２照明面が、前記容積の水を少なくとも部分的に囲む壁の一部である請求項１乃至３のいずれか一項に記載の照明システム。
【請求項５】
前記照明システムが、１つ以上の構成要素を有し、前記１つ以上の構成要素が、前記第１照明面及び前記第２照明面を供給し、前記１つ以上の構成要素が、１つ以上の発光ダイオードを含む請求項１乃至４のいずれか一項に記載の照明システム。
【請求項６】
第１構成要素が、前記第１照明面を有し、前記第１構成要素とは別の第２構成要素が、前記第２照明面を有する請求項１乃至５のいずれか一項に記載の照明システム。
【請求項７】
前記照明システムが、１つ以上の構成要素を有し、前記１つ以上の構成要素が、温度センサ及び光学的光センサのうちの少なくとも１つを有する請求項１乃至６のいずれか一項に記載の照明システム。
【請求項８】
前記第１照明面及び前記第２照明面が、前記容積の水の水面の下の１メートルより深い深さのところに設けられる請求項１乃至７のいずれか一項に記載の照明システム。
【請求項９】
前記照明システムが、前記給餌軸に沿って深さ方向に延在する１つ以上の第１照明面と、前記給餌軸に沿って深さ方向に延在する１つ以上の第２照明面とを有し、前記照明システムが、前記１つ以上の第１照明面及び前記１つ以上の第２照明面から発せられる光の１つ以上の光学特性が、前記容積の水の中に規定される前記給餌軸に沿った方向において変化するように光源を制御するよう構成される制御装置を更に有する請求項１乃至８のいずれか一項に記載の照明システム。
【請求項１０】
前記制御装置が、前記１つ以上の第１照明面及び前記１つ以上の第２照明面から発せられる光の光学特性が、前記容積の水の中の実質的に同じ深さのところでは、実質的に等しいように、前記光源を制御するよう構成される請求項９に記載の照明システム。
【請求項１１】
前記第１照明面及び前記第２照明面が、前記給餌軸に沿って投与される餌の直接照明又はコントラスト照明を供給するよう構成される請求項１乃至１０のいずれか一項に記載の照明システム。 
【請求項１２】
前記第１照明面及び前記第２照明面が、前記給餌軸に対して平行に延在する矩形面である請求項１乃至１１のいずれか一項に記載の照明システム。
【請求項１３】
水生動物の養殖のための装置であり、前記装置が、
請求項１乃至１２のいずれか一項に記載の照明システムと、
前記給餌軸に沿って前記容積の水の中に餌を投与するための餌投与装置と、
ウォーターケージなどの水の囲いとを有する装置であって、前記照明システムが、前記水の囲いの中で前記第１照明面及び前記第２照明面を照明するよう構成され、前記第１照明面及び前記第２照明面が、前記水の囲いの前記容積の水の中に配設される装置。
【請求項１４】
前記照明システムが、前記餌の投与に従って、前記第１照明面及び前記第２照明面から供給される光の光学特性を制御するよう適応される制御装置を有する請求項１３に記載の装置。
【請求項１５】
或る容積の水の中で水生動物を養殖するために前記容積の水を照明するための方法であり、前記養殖が、前記水生動物に餌を投与すると共に、前記容積の水の中の給餌軸を規定するために給餌システムを使用し、前記方法が、
前記容積の水の中に配置される第１照明面から前記給餌軸に向かう第１方向に第１の光を発するステップと、
前記容積の水の中に配置される第２照明面から前記給餌軸に向かう第２方向に第２の光を発するステップとを有する方法であって、
前記第１照明面及び前記第２照明面が、各々、実質的に異なる方向から前記給餌軸の方へ前記第１の光及び前記第２の光を発するよう構成される異なる面である方法。
【発明の詳細な説明】
【技術分野】
【０００１】
本発明は、水の囲い（water enclosure）の中での水生動物養殖のための照明システム、水の囲いに関するこのような照明システムの装置、及び或る容積の水の中で養殖される水生動物の給餌を改善するために前記容積の水の中に光を供給するための方法の分野に関する。
【背景技術】
【０００２】
魚又は他の水生動物の自然環境における挙動は、温度、光の質、酸素濃度、水のペーハーなどの多くの要因に依存する。或るエリアにおける魚の量又は魚の密度も、そのエリアにおける環境要因によって強く決定される。
【０００３】
種類及び発育段階に応じて、淡水又は海水の中で、非常に集約した魚養殖が行われる。現在、例えば、成長している大西洋鮭の生産の大半は、海洋ネットケージ又は海洋ケージなどの水の囲いの中で行われている。一般に、魚は、生まれつき、水面近くで得られるような高い光強度を避ける傾向がある。しかしながら、食べることに対する欲求は、これらの水面近くの高い光強度を避ける傾向より強い。ウォーターケージ(water cage)内の魚への給餌は、現在、給餌パレットを水面にのばす給餌器を用いて行われており、それによって、餌の摂取が水面の近くで行われる状況をもたらす。ストレスの多い状況が、（ｉ）水面の近くの「給餌スポット」周辺の高い魚の密度、及び（ｉｉ）高い光強度により、生じる。また、水面で消費されない餌は、無駄になる、即ち、餌は、より深い所ではもはや観察されることができないことから、ケージの底に沈む。
【０００４】
魚による餌の摂取を改善すると共に、このような環境における魚のストレスを減らすために光源を用いる装置及び方法が幾つか開発されている。
【０００５】
US 5,732,655は、水面において撮像するための画像収集装置を用いる水生生物のための自動給餌装置を開示している。照明手段が、透明な材料の後ろに取り付けられ、画像収集装置が、反対側に取り付けられる。照明手段は、魚を一様に照明し、画像収集装置によって捉えられる画像のコントラストを高める。画像収集手段は、明るい背景に対して暗い魚の画像を撮ることができる。魚の活動レベルを算出するために画像処理手段が利用され、算出活動レベルに基づいて、給餌量及び給餌時間が制御される。
【発明の概要】
【発明が解決しようとする課題】
【０００６】
本願出願人は、より大きな容積のウォーターケージにわたる餌の可視性を向上は、給餌中の水面近くにおける高い魚の密度が回避され得ることから、魚による餌の摂取を改善すると共に、魚のストレスを減らすことができることを見出した。
【課題を解決するための手段】
【０００７】
そのため、或る態様においては、或る容積の水の中での水生動物の養殖のための照明システムであって、給餌システムが、前記容積の水の中の給餌軸を規定する照明システムが開示される。前記システムは、少なくとも、前記容積の水の中に配置され、前記給餌軸を照明するよう構成される第１照明面を有する。前記システムは、前記容積の水の中に配置され、前記給餌軸を照明するよう構成される第２照明面も有する。前記第１照明面及び前記第２照明面は、実質的に異なる方向から前記給餌軸を照明するよう構成される異なる面である。
【０００８】
本開示の別の態様は、水生動物の養殖のための装置であり、前記装置が、上の段落に記載の照明システムと、給餌システムと、水の囲いとを有する装置であって、前記第１照明面及び前記第２照明面が、前記水の囲いの前記容積の水の中に配設される装置に関する。この開示の文脈においては、水の囲いは、例えば、養殖業において用いられるような海洋ケージ又は淡水タンクであり得る。それ故、本願明細書における水の囲いは、密閉収容環境に限定されない。
【０００９】
本開示の更に別の態様は、水生動物を養殖するための方法であって、前記動物が或る容積の水の中に含まれる方法を含む。前記方法は、或る容積の水の中の給餌軸を、前記容積の水の中に配置される第１照明面で照明するステップと、前記給餌軸を、前記容積の水の中に配置される第２照明面で照明するステップとを有する。前記第１照明面及び前記第２照明面は、実質的に異なる方向から前記給餌軸を照明するよう構成される異なる面である。
【００１０】
上記の態様は、水生動物によって餌が観察されることができる体積が、少なくとも部分的に前記給餌軸のまわりに照明面を配置した結果として、増大される照明システムを供給する。前記照明面の構成は、前記ウォーターケージの中の前記給餌軸に対して適応され得る。前記照明面は、前記餌の照明に加えて、前記水生動物が暗い色の餌を前記照明面の明るい背景を背にして観察することを可能にするコントラスト面も供給し得る。
【００１１】
この開示の文脈においては、前記給餌軸は、前記給餌システムから投与され且つ／又は前記給餌システムによってまかれた後の、前記容積の水の中での、前記餌の全平均進行方向を規定する軸である。例えば、餌が前記水の表面から供給される場合、前記餌は、前記容積の水の中で、前記餌の全平均進行方向に沿って、重力により少なくとも部分的に下方へ、分散される。餌はまた、水／空気の噴流を用いて前記水の囲いの底から前記容積の水の中へ投入されてもよく、この場合には、前記餌は、部分的に上へ向かう給餌方向をたどる。
【００１２】
照明面は、構成要素の表面であって、光を発するよう適応される表面として規定される。前記構成要素は、１つ以上の人工光源、例えば、発光ダイオードなどの、光を生成するための光学素子を１つ以上含み得る。前記光学素子は、代わりに又は前記光源に加えて、適切な背景であって、前記餌が前記背景を背にしてコントラストで見えるようにされ得る適切な背景を供給するために前記光を導く且つ／又は拡散するための、鏡、拡散器又は光ガイドなどの受動光学素子も含み得る。
【００１３】
照明面は、平坦な面に限定されず、湾曲面も含まれることに注意されたい。実施例においては、湾曲照明面が、様々な平坦な照明面から構成され得る。面の垂線は、前記面の照明側から離れる方を指す。
【００１４】
実施例においては、前記第１照明面は、第１垂線によって規定され、前記第２照明面は、第２垂線によって規定される。照明面に対する垂線は、その面上の或る位置におけるベクトルであって、その面に対して垂直であると共に、前記照明の方向、即ち、発光の方向において前記面から離れる方を指すベクトルとして規定される。前記照明面上の、前記垂線が考えられる前記位置は、例えば、前記照明面の幾何学的中心又は重心であり得る。前記実施例においては、前記第２垂線は、前記第１垂線とは異なる方向を指しており、前記第１照明面の第１垂線と、前記第２照明面の第２垂線とが、前記容積の水の中で、随意に、実質的に前記給餌軸において、交差する又は交わるように、前記第１照明面及び前記第２照明面が配設される。このような実施例においては、前記照明面は、好ましくは、前記魚による、前記ウォーターケージの中の様々な位置における又は様々な方向からの前記餌の観察が改善されるように、前記魚を少なくとも部分的に囲み、前記給餌軸を照明するよう構成される。詳細には、前記照明システムが、前記容積の水の中に配設される複数の照明面を有し、前記複数の照明面が、座標系の極としての前記給餌軸に対して複数の極座標角度のところに配設される実施例が開示されている。或る実施例においては、前記照明面は、前記水の囲いの境界に沿って配設され得る。
【００１５】
実施例においては、前記第１照明面及び前記第２照明面は、前記水の囲いを規定する境界の一部である。前記１つ以上の照明面の、前記境界への組み込みは、（例えば、前記境界の構造的特徴に組み込まれ得る前記光源のための配線に関して）効率的であり、付加的な空間を必要としない。 
【００１６】
実施例においては、前記照明システムは、１つ以上の構成要素を有し、前記１つ以上の構成要素は、前記第１照明面及び前記第２照明面を供給し、前記１つ以上の構成要素は、前記照明面から発せられる光を生成するための１つ以上の発光ダイオードを含む。発光ダイオードは、サイズ、電力消費量及びコストを含む様々な理由で、好ましい光源である。
【００１７】
実施例においては、前記照明システムは、温度センサ及び光学的光センサのうちの少なくとも１つを有する。温度センサは、検出温度に依存して前記照明面から発せられる光を制御するための制御装置又はソフトウェアモジュールに接続され得る。前記温度センサは、例えば、水温、周囲の気温、前記照明面の温度などを測定し得る。
【００１８】
或る例は、前記水温が特定の値に達するときに前記光強度を弱める又は上げることを含む。光学的光センサは、検出光に依存して前記照明面から発せられる光を制御するための制御装置又はソフトウェアモジュールに接続され得る。前記検出光は、前記容積の水を貫通した周囲光、及び前記照明面から生じる光のうちの少なくとも１つを含み得る。検出値は、前記照明面からの発光の、強度、スペクトル、発光面積などのような少なくとも１つの光学特性を制御し得る。
【００１９】
実施例においては、前記第１照明面及び前記第２照明面は、前記容積の水の水面の下の１メートルより深い深さのところに設けられる。前記照明面は、例えば、５メートル若しくは１０メートルの深さまで、又は完全に、前記水の囲いの底まで、設けられてもよい。照明面を前記水面の下のより深い深さのところに設けることは、魚が給餌中に前記水面へ移動する傾向を減らし、それ故、前記水面の近くの魚の密度を減らし、従って、ストレスを減らすと共に、魚の幸福を改善する。
【００２０】
実施例においては、前記照明システムは、前記給餌軸に対して平行に前記容積の水の深さ方向に延在する１つ以上の第１照明面と、前記給餌軸に対して平行に前記容積の水の深さ方向に延在する１つ以上の第２照明面とを有し、各々の第１及び第２照明面は、実質的に同じ深さのところで前記給餌軸のまわりに配設され得る。前記１つ以上の第１照明面及び前記１つ以上の第２照明面から供給される光の１つ以上の光学特性が、前記給餌軸に沿った方向において変化するように前記照明システムの光源を制御するよう構成される制御装置が設けられる。例えば、より深い深さのところにある前記照明面によって供給されるスペクトルは、（例えば、赤色の光の前記水に対する貫通力は、青色又は緑色の光の場合と比べて、通常、より弱いことから）前記水面の近くの前記照明面によって供給されるスペクトルと異なり得る。実施例においては、前記制御装置は、前記１つ以上の第１照明面及び前記１つ以上の第２照明面から供給される光の光学特性が、前記容積の水の前記深さ方向において実質的に同じ深さのところでは、実質的に等しいように、前記光源を制御するよう構成される。この方法においては、実質的に同じ深さにある前記照明面によって発せられる光の光学特性は、その深さにおける前記魚の水平観察方向に関係なく、実質的に同一である。
【００２１】
上述のように、前記第１照明面及び前記第２照明面は、前記給餌軸のまわりの前記餌の直接照明又はコントラスト照明を供給するよう構成され得る。前記餌の可視性を高める効果が、直接照明から供給されるか、又はコントラスト照明から供給されるかは、前記餌の特徴及び環境条件に依存し得る。例えば、暗い色の餌の可視性は、コントラスト照明を用いて高められ得る。
【００２２】
実施例においては、前記第１照明面及び前記第２照明面は、前記給餌軸に対して平行に延在する矩形面である。前記餌は、前記給餌軸の方向に移動するので、このような照明面は、前記餌が前記魚に見える期間を延長する。
【００２３】
本発明は、上で列挙した特徴の全てのあり得る組み合わせに関することに注意されたい。従って、上で開示した態様のうちの１つの全ての特徴及び利点が、他の開示した態様のいずれにも同様に当てはまる。
【００２４】
特定の特徴及び利点を含む本発明の様々な態様は、以下の詳細な説明及び添付の図面から容易に理解されるだろう。
【図面の簡単な説明】
【００２５】
【図１】照明システムの照明面であって、制御装置から制御される照明面、及び給餌システムの概略図である。
【図２Ａ】第１及び第２照明面を有する照明システムの概略図である。
【図２Ｂ】第１及び第２照明面を有する照明システムの概略図である。
【図３】餌の可視性の向上のための照明システムの照明面のコントラスト効果の概略図を示す。
【図４】照明システム、ウォーターケージ及び給餌システムを有する装置の概略図である。
【図５】第１及び第２照明面を持つ照明システムを有する他の装置である。
【発明を実施するための形態】
【００２６】
ここで、添付図面を参照して照明システムの実施例を以下により詳細に記載する。しかしながら、照明システムは、多くの異なる形態で実施されることができ、保護範囲は、ここに記載されている実施例に限定されると解釈されるべきではなく、むしろ、これらの実施例は、完全性及び徹底のため、並びに熟練した受取人に本開示の範囲を十分に伝えるために示されている全体を通して、同様の参照符号は、同様の要素を指す。
【００２７】
図１は、照明システム１００の照明パネル１の概略図であり、照明パネル１は、照明面Ｓを有する。照明パネル１は、発光照明面Ｓを得るために光を発するよう１つ以上のドライバ３により駆動され得る１つ以上の発光ダイオード（ＬＥＤ）２を更に有する。ＬＥＤ２は、それ自体は知られているようにして基板に埋め込まれ得る。パネルのサイズは、例えば、0.5乃至5m2の範囲内であり得る。パネルは、任意の形状、例えば、正方形又は矩形をとり得る。パネルは、照明エリアを供給するためのあらゆるタイプの照明面を含み得る。図１においては、パネルは、平坦な照明面を供給するよう示されている。図４においては、湾曲照明面が示されている。更に、照明パネル１は、温度センサ４及び光学的光センサ５を有する。
【００２８】
照明システム１００は、照明面Ｓを生成するために制御信号によってＬＥＤ２により発せられる光を制御するよう構成される制御装置６を更に有する。制御装置６は、ＬＥＤ２によって発せられる光の、光強度及び／又はスペクトルなどの光学特性を制御し得る。
【００２９】
制御装置６の制御信号は、温度センサ４及び／又は光学センサ５などの１つ以上のセンサの入力に依存して決定され得る。温度センサは、検出温度に依存して照明面から発せられる光の（光強度及び／又はスペクトルなどの）光学特性を調節する制御装置又はソフトウェアモジュールに接続され得る。光学的光センサは、検出光に依存して照明面から発せられる光の（光強度及び／又はスペクトルなどの）光学特性を調節する制御装置又はソフトウェアモジュールに接続され得る。前記容積の水の中に沈められる場合、温度センサは、水温を測定し、光センサは、前記容積の水を貫通した周囲光成分、及び照明面から生じ、前記容積の水によって拡散／散乱された光のうちの少なくとも１つを測定する。
【００３０】
照明システム１００を有する装置は、更に、下で更に説明するように或る容積の水の中の魚に餌を供給するよう構成される給餌システム１１０にリンクされ得る。給餌システム１１０は、照明パネル１からの照明と、給餌システム１１０からの給餌とが、互いに対して調整され得るように、制御装置６により制御され得る。他の例においては、給餌システム１１０は、給餌システム１１０の動作と同期される、例えば、前記容積の水の中に給餌パレットを出すのと同期される、照明パネル１からの照明を制御するために制御装置６に信号を供給し得る。
【００３１】
図２Ａ及び２Ｂは、２つの実施例における照明システム１００の基本的な図である。
【００３２】
図２Ａの照明システム１００は、実質的に異なる方向から給餌軸ＦＡを照明するよう構成される第１照明面Ｓ１及び第２照明面Ｓ２を有する。詳細には、第１照明面Ｓ１は、垂線Ｎ１によって規定されてもよく、第２照明面Ｓ２は、同様に、垂線Ｎ２によって規定されてもよい。照明面Ｓ１、Ｓ２は、ＬＥＤなどの光源（図示せず）を１つ以上有する１つ以上のパネルの表面である。照明面Ｓ１、Ｓ２は、垂線Ｎ１及びＮ２が、異なる方向を指すが、実質的に給餌軸ＦＡの方向を指すような角度で、配設される。図２Ａの実施例においては、垂線Ｎ１及びＮ２は、交点Ｉにおいて交差し、交点Ｉは、前記容積の水の中の給餌軸ＦＡに位置する。当業者は、このような完璧な幾何学的状況は、実際には、そう簡単には生じず、実質的に仮想給餌軸のまわりにあまねく存在する照明面を配設するという目的が達成される限り、ずれが生じてもよいことを、理解するだろう。
【００３３】
図２Ｂの照明システム１００は、湾曲照明面も有する。湾曲面は、異なる方向を指す異なる垂線（Ｎ１、Ｎ２）であって、同じ給餌軸に向いている異なる垂線を持ち得る。他の例においては、湾曲照明面は、湾曲面を作成するように配設される複数の平坦な表面から構成され得る。この、他の構成は、図２Aに示されているような「平坦な」照明（サブ）表面の「組立体」として構成される、図２Bに示されているような「全体的に見て湾曲した」照明面を供給する。
【００３４】
第１及び第２照明面Ｓ１、Ｓ２は、給餌軸ＦＡを異なる方向から照明することから、餌の直接照明は改善される。更に、第１及び第２照明面Ｓ１、Ｓ２は、或る容積の水の中で、給餌軸ＦＡに対して異なる極座標角度に配設されることから、餌のコントラスト照明が改善される。魚が、直接照明において餌を観察するか、又はコントラスト照明において餌を観察するかは、（ｉ）魚の観察方向、即ち、給餌軸ＦＡに対する魚の位置、及び照明面Ｓ１、Ｓ２に対する魚の位置と、（ｉｉ）給餌軸に対する照明面の照明強度及び距離、即ち、給餌パレットを照明する能力とに依存する。照明面が、給餌軸のより近くに配設されるほど、又は光強度が高ければ高いほど、より多くの直接照明が利用可能になり、照明面が、給餌軸からより遠くに配設されるほど、又は光強度が低ければ低いほど、より多くのコントラスト照明が用いられる。ここに記載されているように配設される複数の照明面を有する分散照明システム１００では、餌の直接照明又はコントラスト照明のいずれかにより魚が様々な観察角からの餌の改善された可視性を持つシステムが得られる。コントラスト照明は、図３に概略的に図示されている。
【００３５】
図３においては、照明面Ｓ１、Ｓ２は、照明面に対する垂線が給餌軸ＦＡの方へ向けられるように、配設される。照明面は、照明面Ｓ１、Ｓ２の白色の外観によって図示されている光を発する。前記容積Ｖ内の水は、黒色の矩形によって図示されているように、暗い。明らかに、暗い色の餌Ｆは、餌Ｆが、動物Ａと、給餌軸ＦＡのまわりに配設される「明るい」バックグランド面Ｓ１、Ｓ２との間に入るや否や、当然、水生動物Ａが「明るい」バックグランド面Ｓ１、Ｓ２のうちの１つの方向を見ているときには、前記容積の水の中の動物Ａによって観察される。給餌軸のまわりの照明面Ｓ１、Ｓ２の包絡面が大きければ大きいほど、餌Ｆの可視性は、動物Ａの観察方向に依存しない。
【００３６】
図４は、或る容積Ｖの水を収容している水の囲いＷ、例えば、海洋ケージと、複数の照明面Ｓ１乃至Ｓ９とを有する装置の概略図である。照明面Ｓ１、Ｓ４、Ｓ７は、水の囲いの給餌軸ＦＡに沿った方向の異なる深さのところに配設されている。同じことが、各々、照明面Ｓ２、Ｓ５、Ｓ８について、及び照明面Ｓ３、Ｓ６、Ｓ９について、当てはまる。照明面Ｓ１乃至Ｓ３は、水面の下の、水面の近くで、水面の下の実質的に同じ深さのところに配設される。前記照明面は、例えば、深さ方向に水面の下の１メートルにわたって延在し得る。照明面Ｓ４乃至Ｓ６は、より深い深さのところに（例えば、水面の下の１メートルと５メートルとの間の範囲内に）配設され、照明面Ｓ７乃至Ｓ９は、更に深い深さのところに（例えば、水面の下の２メートルと１０メートルとの間の範囲内に）配設される。図４の実施例においては、照明面Ｓ１乃至Ｓ９は、水の囲いＷの壁の不可欠な部分を構成する湾曲構成要素として配設される。
【００３７】
照明システム１００は、制御装置６を有する。理解しやすいように、図４には、制御装置６の、照明面の各々との配線は、示されていない。制御装置６は、給餌システム１１０にも接続される。
【００３８】
制御装置６は、１つ以上の第１照明面Ｓ１、Ｓ４、Ｓ７及び１つ以上の第２照明面Ｓ２、Ｓ５、Ｓ８から供給される光の１つ以上の光学特性が、前記容積Ｖの水の深さ方向Ｄにおいて変化するように、照明システム１００の光源（図示せず）を制御するよう構成される。例えば、給餌軸ＦＡに沿ってより深い深さのところにある照明面のスペクトルは、より水面に近い照明面のスペクトルと異なり得る。水面の下のより深い深さのところにある照明面からの照明スペクトルは、例えば、増加させられた量の赤色及び黄色の光を有して、より水面の近くにある水量による周囲光からのこれらのスペクトル成分の吸収を補償し得る。
【００３９】
制御装置６は、第１照明面Ｓ１、第２照明面Ｓ２及び他の照明面Ｓ３から供給される光の光学特性が、これらの照明面が深さ方向において実質的に同じ深さのところにあることから、実質的に等しいように、光源を制御するよう構成される。このようにして、実質的に同じ深さのところにある照明面の光学特性は、その深さのところにある水平面における魚の観察方向には左右されずに、実質的に同一である。
【００４０】
図１に関して記載されている温度センサ４及び光学的光センサ５は、水の囲いＷにおいて有利に用いられ得る。温度センサ４は、どの深さにおける温度が動物Ａが住むのに最適であるか、及びどこが前記動物Ａが住んでいる可能性が最も高いかを示し得る。制御装置６は、対応する深さにある照明面Ｓを起動及び制御して、これらの深さにおける餌の可視性を向上させることができる。光センサ５は、照明面Ｓ１乃至Ｓ９の光学特性を制御するために用いられ得る。例えば、一般に、より深い深さのところに存在する日光はより少ないだろう。故に、照明面Ｓ４乃至Ｓ６の光強度は、照明面Ｓ１乃至Ｓ３の光強度より高いだろう。同様に、或るスペクトル成分は、水によって他のスペクトル成分より多く吸収されるかもしれず、制御装置６は、吸収された前記スペクトル成分を補償するよう前記スペクトルを制御し得る。制御装置６は、給餌装置１１０に操作可能にリンクされ、給餌動作と同期して照明面を制御し得る。給餌器１１０が、給餌が機能しているときに、制御装置６に制御信号を供給することができる、又は制御装置６が、いつ照明面が給餌動作をサポートするよう制御されるかを示すよう給餌装置に制御信号を供給する。
【００４１】
図２Ａ、２Ｂ、３及び４の実施例は、各々、給餌軸のまわりの部分的な「照明エンベロープ」しか示していないが、例えば、実質的に完全に取り囲む照明を有する他の実施例は考えられている。
【００４２】
装置が持つ給餌軸ＦＡであって、前記給餌軸ＦＡのまわりに照明面が設けられる給餌軸ＦＡが１つだけである必要もない。図５においては、照明面Ｓ１、Ｓ２を供給するパネル１は、２つの給餌軸ＦＡ１、ＦＡ２のまわりに配設され、両方の給餌軸に沿って投与される餌にコントラスト照明を供給する。照明面は、両方の給餌軸を囲んでいる。
【００４３】
当業者には、本発明が、決して、上記の好ましい実施例に限定されないことは分かるであろう。逆に、添付の請求項の範囲内で多くの修正及び変更が可能である。
【図１】
0006352406.tif 000002
【図２Ａ】
0006352406.tif 000003
【図２Ｂ】
0006352406.tif 000004
【図３】
0006352406.tif 000005
【図４】
0006352406.tif 000006
【図５】
0006352406.tif 000007